(57)【要約】【課題】  振動板の後方に音響抵抗材を介して連通する所定容積の背部気室（空気室）を有するダイナミックマイクロホンにおいて、気密性に優れた背部気室を得る。【解決手段】  ボイスコイル１１３を有する振動板１１およびボイスコイル１１３が振動可能に配置される磁気ギャップを有する磁気回路１２を備えるマイクロホンユニット１０と、マイクロホンユニット１０を磁気回路側から支持し、内部に音響抵抗材を介して振動板１１の背面側と連通する背部気室２０Ａを有する円筒状のユニットホルダ２０とを含み、背部気室２０Ａがユニットホルダ２０内に同軸として気密的に嵌合される第１円筒部２２と第２円筒部２３とにより形成されるダイナミックマイクロホンにおいて、第１円筒部２２と第２円筒部２３とを、それらの間に音波漏洩防止用のリング状に形成されたガスケット２８を挟んだ状態で一体的に組み合わせる。【選択図】  図１
2006237939.tif 000002
【特許請求の範囲】
【請求項１】
ボイスコイルを有する振動板および上記ボイスコイルが振動可能に配置される磁気ギャップを有する磁気回路を備えるマイクロホンユニットと、上記マイクロホンユニットを上記磁気回路側から支持し、内部に音響抵抗材を介して上記振動板の背面側と連通する背部気室を有する円筒状のユニットホルダとを含み、上記背部気室が上記ユニットホルダ内に同軸として気密的に嵌合される第１円筒部と第２円筒部とにより形成されるダイナミックマイクロホンにおいて、
上記第１円筒部と上記第２円筒部とが、それらの突き合わせ端面間に音波漏洩防止用のリング状に形成されたガスケットを挟んだ状態で一体的に組み合わされていることを特徴とするダイナミックマイクロホン。
【請求項２】
上記ガスケットが、ゴム弾性体からなることを特徴とする請求項１に記載のダイナミックマイクロホン。
【請求項３】
上記第１円筒部と上記第２円筒部のうちの反磁気回路側の上記第２円筒部と、上記ユニットホルダとの間には、上記ガスケットに所定の押圧力を加えた状態で上記第２円筒部を上記ユニットホルダに固定する係止手段が設けられていることを特徴とする請求項１または２に記載のダイナミックマイクロホン。
【請求項４】
上記係止手段が、上記ユニットホルダ側に形成された係止孔と、上記第２円筒部側に上記係止孔に弾性変形を伴って嵌合するように形成された係止爪とからなることを特徴とする請求項３に記載のダイナミックマイクロホン。
【発明の詳細な説明】
【技術分野】
【０００１】
本発明はダイナミックマイクロホンに関し、さらに詳しく言えば、ダイナミックマイクロホンの指向性，感度および周波数応答などの性能を左右する背部気室（空気室）の構成に関するものである。
【背景技術】
【０００２】
特許文献１に記載されているように、ダイナミックマイクロホンのうち、無指向性ダイナミックマイクロホンは抵抗制御であることから、振動板の後方に背部気室（空気室）とフェルトなどからなる音響抵抗材とが配置され、この音響抵抗によって周波数応答と感度が設定される。
【０００３】
また、単一指向性ダイナミックマイクロホンでは、後方音響端子から入った音波は、後部音響端子の音響質量と上記音響抵抗とで分割されて振動板の後部に加えられ、指向性が設定される。このように、ダイナミックマイクロホンにおいて、振動板の後方から背部気室に連通する部分に設けられる音響抵抗は重要な役割を果たす。
【０００４】
特に、単一指向性ダイナミックマイクロホンの場合、指向周波数応答を良好にするために、音響抵抗は複数の背部気室とその間を音響的に結合する音響抵抗材で構成される。その一例を図３，図４により説明する。図３はダイナミックマイクロホンに主要部として含まれるマイクロホンユニット１０とユニットホルダ２０とを示す断面図で、図４はその分解断面図である。
【０００５】
これによると、マイクロホンユニット１０は、振動板１１と磁気回路１２とを備えている。振動板１１は、センタードーム１１１と、その周りに一体に連設されたサブドーム１１２とを有し、センタードーム１１１にはボイスコイル１１３が接着材などにより一体的に取り付けられている。
【０００６】
磁気回路１２は、円盤状に形成された永久磁石１２１と、永久磁石１２１の一方の極側に配置されたセンターポールピース１２２と、永久磁石１２１の他方の極に配置された皿状のテールヨーク１２３と、テールヨーク１２３の端部に配置され、センターポールピース１２２との間で磁気ギャップを形成するサイドヨーク１２４とを備えている。
【０００７】
マイクロホンユニット１０は、ユニットホルダ２０により磁気回路１２側から支持される。振動板１１は、ボイスコイル１１３が上記磁気ギャップ内で振動するようにサブドーム１１２の周縁部がユニットホルダ２０に固定される。また、振動板１１の前方には、前方音響端子１３１を有するレゾネータ１３が被せられる。
【０００８】
このダイナミックマイクロホンは単一指向性であるため、ユニットホルダ２０は、所定の音響抵抗材２１１を介して振動板１１の後方（背面側）に連通する後方音響端子２１を備えている。また、ユニットホルダ２０の外周部には、ボイスコイル１１３の図示しない引出リード線が接続される端子板２７が設けられている。
【０００９】
ユニットホルダ２０は円筒状に形成されていて、その内部にテールヨーク１２３に穿設されている音孔１２３ａを介して振動板１１の後方空間と連通する所定容積の背部気室（空気室）２０Ａを備えている。
【００１０】
この例において、背部気室２０Ａはユニットホルダ２０内に同軸として気密的に嵌合される第１円筒部２２と第２円筒部２３とにより形成される。第１円筒部２２と第２円筒部２３は、それぞれ一方の面側にフェルトなどの音響抵抗材２５，２６が貼り付けられた音孔２２１，２３１を有し、それらの他方の開口端部２２２，２３２同士を突き合わせた状態でユニットホルダ２０内に嵌合されることにより、その内部に所定容積の背部気室２０Ａを形成する。
【００１１】
この例では、ユニットホルダ２０の後端側には、図３の想像線で示すように背部気室３０Ａを有する中筒３０がさらに接続される。したがって、このダイナミックマイクロホンは、第１背部気室２０Ａと第２背部気室３０Ａの２つの空気室を備え、振動板１１の後方空間は、音響抵抗材２５を介して第１背部気室２０Ａと連通し、第１背部気室２０Ａは音響抵抗材２６を介してさらに第２背部気室３０Ａと連通し、これら音響質量および音響抵抗により、所定の指向性および指向周波数応答が付与される。
【００１２】
なお最終的に、ユニットホルダ２０は中筒３０とともに、ゴム弾性体からなる図示しないショックマウント部材を介してアルミニウムもしくは黄銅合金などからなる円筒状の図示しないマイク筐体（マイクグリップ）内に支持される。
【００１３】
【特許文献１】実開平６−４８２９５号公報
【発明の開示】
【発明が解決しようとする課題】
【００１４】
上記した構成のダイナミックマイクロホンにおいて、背部気室２０Ａは第１円筒部２２と第２円筒部２３とにより形成されるが、従来では、それらの開口端部２２２，２３２同士を接着材で接着することにより、その接合部分の気密を確保するようにしている。
【００１５】
その場合、有機溶剤によるゴム系の接着材が一般的に用いられるが、この種の接着材は有機溶剤の蒸散によって体積が減少（接着材の肉痩せ）するため、場合によっては孔が開き、突き合わせの開口端部２２２，２３２間の気密が保たれなくなり、背部気室２０Ａから音漏れが生ずることがある。また、接着材が固化するまでの間、第１円筒部２２と第２円筒部２３とを図示しない治具にて固定しておく必要があり、生産性の面でも問題があった。
【００１６】
したがって、本発明の課題は、振動板の後方に音響抵抗材を介して連通する所定容積の背部気室（空気室）を有するダイナミックマイクロホンにおいて、気密性に優れた背部気室を得ることにある。
【課題を解決するための手段】
【００１７】
上記課題を解決するため、請求項１に記載の発明は、ボイスコイルを有する振動板および上記ボイスコイルが振動可能に配置される磁気ギャップを有する磁気回路を備えるマイクロホンユニットと、上記マイクロホンユニットを上記磁気回路側から支持し、内部に音響抵抗材を介して上記振動板の背面側と連通する背部気室を有する円筒状のユニットホルダとを含み、上記背部気室が上記ユニットホルダ内に同軸として気密的に嵌合される第１円筒部と第２円筒部とにより形成されるダイナミックマイクロホンにおいて、上記第１円筒部と上記第２円筒部とが、それらの突き合わせ端面間に音波漏洩防止用のリング状に形成されたガスケットを挟んだ状態で一体的に組み合わされていることを特徴としている。
【００１８】
請求項２に記載の発明は、上記請求項１において、上記ガスケットがゴム弾性体からなることを特徴としている。
【００１９】
請求項３に記載の発明は、上記請求項１または２において、上記第１円筒部と上記第２円筒部のうちの反磁気回路側の上記第２円筒部と、上記ユニットホルダとの間には、上記ガスケットに所定の押圧力を加えた状態で上記第２円筒部を上記ユニットホルダに固定する係止手段が設けられていることを特徴としている。
【００２０】
また、請求項４に記載の発明は、上記請求項３において、上記係止手段が、上記ユニットホルダ側に形成された係止孔と、上記第２円筒部側に上記係止孔に弾性変形を伴って嵌合するように形成された係止爪とからなることを特徴としている。
【発明の効果】
【００２１】
請求項１に記載の発明によれば、背部気室を形成する第１円筒部と第２円筒部とを、それらの突き合わせ端面間に音波漏洩防止用のリング状に形成されたガスケットを挟んだ状態で一体的に組み合わせるようにしたことにより、第１円筒部と第２円筒部間の気密不良を確実に防止することができる。
【００２２】
ガスケットに圧縮変形するゴム弾性体を用いるようにした請求項２に記載の発明によれば、ガスケットが径方向にも変形（拡がる）するため、第１円筒部と第２円筒部とのつなぎ目部分とユニットホルダとの間の気密性をも確保することができる。
【００２３】
第１円筒部と第２円筒部のうちの反磁気回路側の第２円筒部と、ユニットホルダとの間に、ガスケットに所定の押圧力を加えた状態で第２円筒部をユニットホルダに固定する係止手段を設けるようにした請求項３に記載の発明によれば、接着材が固化（乾燥）するまでの間、特別な治具によって第２円筒部を押さえておく必要がない。また、場合によっては接着材を用いることなく、気密性を確保することができる。
【００２４】
また、係止手段として、ユニットホルダ側に形成された係止孔と、第２円筒部側に上記係止孔に弾性変形を伴って嵌合するように形成された係止爪との組み合わせを採用するようにした請求項４に記載の発明によれば、第２円筒部をユニットホルダに押し込むだけのいわゆるワンタッチ的な簡単な作業により、第２円筒部をユニットホルダに確実に固定することができる。
【発明を実施するための最良の形態】
【００２５】
次に、図１および図２により、本発明の実施形態について説明するが、本発明はこれに限定されるものではない。図１は本発明のダイナミックマイクロホンが主要部として備えるマイクロホンユニットとユニットホルダとを示す断面図，図２はその分解断面図で、それぞれ先に説明した図３，図４に対応しており、参照符号についても変更を要しない構成要素には同じ符号を用いている。
【００２６】
本発明のダイナミックマイクロホンにおいて、マイクロホンユニット１０は、振動板１１と磁気回路１２とを備えているが、これらの構成は先に説明した図３，図４の従来例と同じであってよい。
【００２７】
すなわち、振動板１１は、センタードーム１１１と、その周りに一体に連設されたサブドーム１１２とを有し、センタードーム１１１にはボイスコイル１１３が接着材などにより一体的に取り付けられている。
【００２８】
また、磁気回路１２は、円盤状に形成された永久磁石１２１と、永久磁石１２１の一方の極側に配置されたセンターポールピース１２２と、永久磁石１２１の他方の極に配置された皿状のテールヨーク１２３と、テールヨーク１２３の端部に配置され、センターポールピース１２２との間で磁気ギャップを形成するサイドヨーク１２４とを備えた構成であってよい。
【００２９】
マイクロホンユニット１０は、ユニットホルダ２０により磁気回路１２側から支持されており、振動板１１は、ボイスコイル１１３が上記磁気ギャップ内で振動するようにサブドーム１１２の周縁部がユニットホルダ２０に固定される。また、振動板１１の前方を覆うように、前方音響端子１３１を有するレゾネータ１３が被せられる。
【００３０】
このダイナミックマイクロホンは単一指向性であるため、ユニットホルダ２０は、所定の音響抵抗材２１１を介して振動板１１の後方（背面側）に連通する後方音響端子２１を備えている。また、ユニットホルダ２０の外周部には、ボイスコイル１１３の図示しない引出リード線が接続される端子板２７が設けられてよい。
【００３１】
ユニットホルダ２０は円筒状に形成されていて、その内部にテールヨーク１２３に穿設されている音孔１２３ａを介して振動板１１の後方空間と連通する所定容積の背部気室（空気室）２０Ａを備えている。この背部気室２０Ａは、ユニットホルダ２０内に同軸として気密的に嵌合される第１円筒部２２と第２円筒部２３とにより形成される。
【００３２】
第１円筒部２２と第２円筒部２３は、それぞれ一方の面側にフェルトなどの音響抵抗材２５，２６が貼り付けられた音孔２２１，２３１を有し、それらの他方の開口端部２２２，２３２を突き合わせた状態でユニットホルダ２０内に嵌合されることにより、その内部に所定容積の背部気室２０Ａを形成するが、本発明によると、開口端部２２２と開口端部２３２との間に、それらの間から音波が漏れるのを防止するリング状に形成されたガスケット２８が挟み込まれる。
【００３３】
ガスケット２８は、通気性を持たない例えば通常の合成樹脂製のリングであってもよいが、圧縮変形するゴム弾性体であることが好ましい。これによれば、第１円筒部２２と第２円筒部２３とを強く締め付けた場合、ガスケット２８が径方向に拡がるため、開口端部２２２と開口端部２３２のつなぎ目部分のみならず、そのつなぎ目部分とユニットホルダ２０との間の気密性をも確保することができる。
【００３４】
また、第１円筒部２２と第２円筒部２３との結合を強固なものとするため、両円筒部２２，２３のうちの反磁気回路１２側に配置される第２円筒部２３と、ユニットホルダ２０との間に、ガスケット２８に所定の押圧力を加えた状態で第２円筒部２３をユニットホルダ２０に固定する係止手段を設けることが好ましい。
【００３５】
この例では、その係止手段を得るため、ユニットホルダ２０側に係止孔２０１を穿設するとともに、第２円筒部２３側に上記係止孔２０１に弾性変形を伴って嵌合する係止爪２３３を形成しており、これによれば、第２円筒部２３をユニットホルダ２０に押し込むだけのいわゆるワンタッチ的な簡単な作業により、第２円筒部２３をユニットホルダ２０に確実に固定することができる。
【００３６】
なお、第１円筒部２２と第２円筒部２３との間に、ガスケット２８を挟み込むにあたって、上記従来例のように有機溶剤型の接着材を併用してもよい。その場合、上記係止手段（２０１，２３３）を設けることにより、その接着材が固化（乾燥）するまでの間、特別な治具によって第２円筒部を押さえておく必要がない。
【００３７】
また、有機溶剤の蒸散により接着材が肉痩せしたとしても、上記係止手段（２０１，２３３）の押圧力により、肉痩せした部分の隙間が潰されるため、良好な気密性を確保することができる。また、ガスケット２８をゴム弾性体とするとともに、上記係止手段（２０１，２３３）を設けることにより、接着材なしで第１円筒部２２と第２円筒部２３との間の気密性を確保することができる。
【００３８】
以上、本発明の要部について説明したが、ユニットホルダ２０の後端側には、先の図３と同じく、図１の想像線で示すように背部気室３０Ａを有する中筒３０がさらに接続されてもよい。
【００３９】
そして最終的に、ユニットホルダ２０は、ゴム弾性体からなる図示しないショックマウント部材を介してアルミニウムもしくは黄銅合金などからなる円筒状の図示しないマイク筐体（マイクグリップ）内に支持されることになる。
【図面の簡単な説明】
【００４０】
【図１】本発明のダイナミックマイクロホンが主要部として備えるマイクロホンユニットとユニットホルダとを示す断面図。
【図２】図１の分解断面図。
【図３】従来のダイナミックマイクロホンが主要部として備えるマイクロホンユニットとユニットホルダとを示す断面図。
【図４】図３の分解断面図。
【符号の説明】
【００４１】
１０  マイクロホンユニット
２０  ユニットホルダ
２０Ａ  背部気室（空気室）
２０１  係止孔
２２  第１円筒部
２２１  音孔
２２２  開口端部
２５  音響抵抗材
２３  第２円筒部
２３１  音孔
２３２  開口端部  
２３３  係止爪
２６  音響抵抗材
２８  ガスケット
【図１】
2006237939.tif 000003
【図２】
2006237939.tif 000004
【図３】
2006237939.tif 000005
【図４】
2006237939.tif 000006